(57)【特許請求の範囲】
【請求項１】
上壁部１ａに中心孔（６）を有するケース本体（１）と、このケース本体に前記中心孔に嵌合する嵌合軸（１３）を介して回動自在に装着され、かつ、施錠時前記係合部と対向して一致するガイド貫通孔（１９）を有する操作レバー（１２）と、この操作レバーの前記ガイド貫通孔に設けられ、かつ、付勢バネ（２０）で一方向に付勢されたロッキング部材（２１）と、このロッキング部材の逃がし用切欠部（４５、、４８、４５Ａ）を有し、かつ、操作レバーの先端部側（１４）にダイヤル軸（２６）を介して回動可能に設けられたダイヤル部材（４０、４０Ａ）とから成り、前記ロッキング部材は、頭部を有する棒状に形成され、施錠時に前記付勢バネのバネ力に抗して前記ケース本体（１）の中心孔（６）に対して偏する位置に形成された係合部（８）に係合する反面、解錠時に頭部がダイヤル部材の前記逃がし用切欠部に入り込むように前記付勢バネで外方向に付勢されていることを特徴とする窓用クレセント。
【請求項２】
請求項１に於いて、ケース本体の内壁には、操作レバーが施錠方向に回転してきた時に、所定以上に回転しないように操作レバーと共に回動する摺接板（３０）の突起部（３０ａ）と当接するストッパー（１０）が突設されていることを特徴とする窓用クレセント。
【請求項３】
請求項１に於いて、操作レバーがケース本体の長さ方向と一致して施錠状態となった時、サッシの側壁（Ｚ）に取付けられた鉤状のクレセント受け金具（１７）と当接するストッパー（１８）が、操作レバーの先端部側（１４）の周胴部の適宜部位に突出して設けられていることを特徴とする窓用クレセント。
【発明の詳細な説明】
【０００１】
【産業上の利用分野】
本発明は家屋やビルなどの窓に盗難防止用の施錠装置として取付けられる窓用
クレセントに関する。
【０００２】
【従来の技術】
従来、クレセントの施錠方式として鍵付クレセントが市場に出廻って来たが、鍵操作のわずらわしさや鍵の紛失による施錠不可能がしばしば生じている。そして、これを起因として非施錠による盗難事故の発生が増えている。たとえば、一つの家には多くの窓があり、その一つ一つにクレセントが付いているが、鍵の付いていないクレセントでは、外部からの侵入者は窓ガラスの一部を開口し、クレセントを解くことによって窓を開け家屋内に侵入する。
【０００３】
そこでこれを防ぐ目的でクレセントに鍵が付いた、いわゆる鍵付きクレセントが普及しているが、多くの窓の一つ一つに鍵があるので、日常の窓の開閉に大きな負担となり、また鍵穴が相違すると鍵の本数も多くなり、さらに、鍵の紛失により実際には施解錠付き窓が解錠のままになってしまうことが日常的である。そこで、これを改善するため、クレセントの近くにスライド鍵を取り付け、ロッキング部材としてのスライド片の操作によりクレセントの施解錠を行うになって来たが、この種のクレセントは鍵のある場所が一定であり、外部の侵入者はスライド鍵のある場所を知っているため、しばしば窓から侵入事故が発生しているのが現状である。
【０００４】
【発明が解決しようとする課題】
本発明は以上のような従来の欠点に鑑み、施解錠機構としてダイヤル錠を取り入れることにより、住居人が多くの鍵を持つことから開放され、自由にかついつでも誰もが屋内から容易に施解錠ができ、一方、外部の侵入者に対しては、不法侵入をより困難にすると同時に、使用者にとっては鍵をその都度鍵孔にさし込む等のわずらわしさから開放され、手軽に施解錠できるようにし、しかも、防犯性を向上させることができ、加えて、施錠機構を構成する操作レバーの嵌合軸等に無理な力が作用しない窓用クレセントを得ることである。
【０００５】
【課題を解決するための手段】
本発明の窓用クレセントは、上壁部１ａに中心孔（６）を有するケース本体（１）と、このケース本体に前記中心孔に嵌合する嵌合軸（１３）を介して回動自在に装着され、かつ、施錠時前記係合部と対向して一致するガイド貫通孔（１９）を有する操作レバー（１２）と、この操作レバーの前記ガイド貫通孔に設けられ、かつ、付勢バネ（２０）で一方向に付勢されたロッキング部材（２１）と、このロッキング部材の逃がし用切欠部（４５、、４８、４５Ａ）を有し、かつ、操作レバーの先端部側（１４）にダイヤル軸（２６）を介して回動可能に設けられたダイヤル部材（４０、４０Ａ）とから成り、前記ロッキング部材は、頭部を有する棒状に形成され、施錠時に前記付勢バネのバネ力に抗して前記ケース本体（１）の中心孔（６）に対して偏する位置に形成された係合部（８）に係合する反面、解錠時に頭部がダイヤル部材の前記逃がし用切欠部に入り込むように前記付勢バネで外方向に付勢されていることを特徴とする。
【０００６】
【作用】
ロッキング部材が施錠状態の場合、操作レバーはケース本体と略同一方向に位置し、その係合片はサッシの側壁の鉤状受け金具と係合している。この時、操作レバーは所定以上に回転しないように単数または複数個のスットパーにより回転が阻止されている。
【０００７】
ロッキング部材は、操作レバー側のガイド貫通孔がケース本体側の係合部と一致しているために、付勢バネのバネ力に抗して後退し、その胴体部の一部はケース本体の係合部と係合状態となっている。したがって、操作レバーはロッキング部材を介してケース本体に施錠されている。
【０００８】
一方、ロッキング部材を解錠する場合、まずダイヤル部材の駆動板を解錠用標識に基づき一方向に回転する。次に駆動板を同じく解錠用標識に基づき反対方向へと回転すると、駆動板及び回転子の逃がし用切欠部がロッキング部材の頭部にそれぞれ対向する。この場合ダイヤル部材が一枚の実施例の場合は、ダイヤル部材を単に暗証番号に基づき回すだけで良い。したがって、ロッキング部材は付勢バネのバネ力により外方向へ移動し、その頭部は単一または複数のダイヤル部材の逃がし用切欠部に入込む。これにより、操作レバーを係合解除の方向へ回転することができる。
【０００９】
【実施例】
以下、図面に示す実施例により本発明を詳細に説明する。
【００１０】
図１ないし図９において、Ｘはダイヤル錠付クレセントである（以下、「クレセント」と言う。）。このクレセントＸは、構成要件を大きく区分すると、ケース本体１と、このケ―ス本体１に回動可能に装着される操作レバー１２と、この操作レバー１２の先端部側に組込まれるダイヤル部材４０と、操作レバーの回転を不能または可能にし、かつ、円錐状の頭部を有する棒状のロッキング部材２１とから成る。そこで、以下これらの構成要件の各主要部を中心に説明する。
【００１１】
まず、１はサッシの側壁Ｙに固設されるケース本体である。このケース本体１は一側開口の長箱状に形成されている。ケース本体１の形態は特に問わないが、少なくともケース本体１の両端部に設けられあるいは周端部に連設形成され、かつ、該ケース本体１をサッシの側壁Ｙに固設するための取付け部２と、ケース本体１の中央部あるいは中央部よりの部位に形成され、かつ、操作レバー１２を装着するための装着部３とが必要である。
【００１２】
しかして、前記取付け部２の適当な部位には取付けビス４用の貫通孔あるいはオネジ孔５が合計２個形成されている。また前記装着部３には軸受け用の段差状中心孔６が形成されている。
【００１３】
７はケース本体１の上壁部１ａに形成された案内凹所である。この案内凹所７の一部は、ケース本体の上壁部１ａと直交する側壁１ｂ、１ｂの少なくとも一側壁１ｂに対して切欠され、図２を基準にすると、前記中心孔６に対して上下の連設する湾部７ａ、７ｂのように見える。
【００１４】
８はケース本体１の上壁部１ａに前記中心孔６に対して偏するように形成された係合孔、係合凹所等のロッキング用係合部である。この係合部８は、本実施例では前記案内凹所７の上方の湾部７ａ内に形成された貫通状態の係合孔である。
【００１５】
９はケース本体１の内壁の適宜箇所に突出して設けられたバネ部材用取付け片で、このバネ部材用取付け片９は、一方の取付部２寄りの部位に形成されている。
【００１６】
１０はケース本体の少なくとも一側壁１ｂの内壁の中央部あるいは中央部よりの部位に突設された操作レバー１２用の第１のストッパーである。この第１のストッパー１０は、図４で示すように操作レバー１２が施錠方向に回転してきた時に、所定以上に回転しないように後述する摺接板３０の突起部３０ａと当接する。
【００１７】
次に１２は操作レバーである。操作レバー１２は段差状のカシメ用先端部１３ａを有し、かつ、ケース本体１の上壁部１ａの外側に位置するように中心孔６に嵌着する嵌合軸１３を介し、ケース本体１に回動自在に装着される。この操作レバー１２は、図３で示すように嵌合軸１３を有する比較的肉厚の先端部側１４と、この先端部側１４と連設し、断面チャンネル状に形成された操作摘み部側１５とに一応区分することができる。
【００１８】
そこで、この操作レバー１２についてさらに詳しく説明する。まず１６は先端部側１４のケース本体１の上壁部１ａと対向する内壁面に突出して形成され、あるいは一体的に設けられ、かつ、対向するサッシの側壁Ｚに取付けられた鉤状のクレセント受け金具１７と係合する弧状の係合片である。
【００１９】
しかして、この係合片１６は、係合始端部１６ａと係合終端部１６ｂとを有するが、本実施例では図５で示すように操作レバー１２がケース本体１の長さ方向と一致して施錠状態となった時、操作レバー１２が回り過ぎないように所望の位置でストッパーする第２のストッパー１８が、先端部側１４の周胴部の適宜部位に突出して設けられている。
【００２０】
次に１９は図２及び図３で示すように操作レバー１２の先端部側に形成されたロッキング部材２１用のガイド貫通孔である。このガイド貫通孔１９は、本実施例では操作レバー１２の略中心部に位置し、施錠時ケース本体１のロッキング部材用係合部８と対向して一致する。
【００２１】
しかして、ガイド貫通孔１９は、図３で示すようにその中に収納された付勢バネ２０の一端部を支持し、かつ、棒状ロッキング部材２１の円錐あるいはキノコ形状の頭部２１ａを案内する大径孔１９ａと、この大径孔１９ａと連通し、かつ、前記ロッキング部材２１の胴体部２１ｂを案内する小径孔１９ｂとから成っている。
【００２２】
ところで、前記付勢バネ２０は、本実施例ではコイルスプリングが使用され、ロッキング部材２１を外方向（後述するダイヤル部材の位置する側）に付勢する。
【００２３】
次に２３はダイヤル部材４０を左右に回転させた際にクリック感を出すためのクリックボール２４及びクリックバネ２５を収納する収納部である。この収納部２３は、先端部側１４の外壁面に突出形成されたダイヤル軸２６を中心とし、その同心円上に形成された環状溝２７の一部と連通している。
【００２４】
次に２８は操作レバー１２の内壁面のガイド貫通孔１９を有する部位に多少突出形成された円筒状の第３のストッパーである。この第３のスットパー２８は操作レバー１２を回転した時、少なくとも施錠時に於いて、ケース本体１の案内凹所７の上方の湾部７ａの内壁面と当接する。
【００２５】
次に２９は図１及び図２で示すようにダイヤル部材４０の解錠用識別標識が見えるように前述した環状溝２７を形成する先端部側１４の外周壁の適宜部位に形成された切欠窓である。
【００２６】
次に３０は操作レバー１２の嵌合軸１３のカシメ用先端部１３ａに、該操作レバーと共に回動するように取付けられたリング状の摺接板である。この摺接板３０の周部には前述したように突起部３０ａが形成され、また一側面の適宜部位にはバネ部材用取付け部３０ｂが設けられている。しかして、３１はケース本体１のバネ部材用取付け片９と前記バネ部材用取付け部３０ｂにそれぞれ両端部が取付けられたバネ部材である。このバネ部材３１は操作レバー１２の回転を容易にさせるためのものである。
【００２７】
次に操作レバー１２のダイヤル軸２６に回動自在に装着されたダイヤル部材４０について説明する。ダイヤル部材４０は、本実施例では、キャップ状に形成され、かつ、環状外周壁に「０」〜「９」等の解錠用識別標識が設けられた駆動板４１と、この駆動板４１に内装された円盤状の回転子４２とから成る。
【００２８】
しかして、ダイヤル部材４０は図７で示すように前記駆動板４１の内壁面に駆動爪（ツク）４３が設けられ、一方、前記回転子４２の一側面に駆動爪４３と係合する従動爪（ツク）４４が設けられている。また駆動板４１の内周壁には切欠部４５を有する環状部４６が適宜に形成されており、一方、回転子４２の周胴部４７の適宜部位には前記駆動板４１の切欠部４５と一致可能な切欠部４８が形成されている。
【００２９】
上記構成に於いては、クレセントＸはケース本体１の貫通孔あるいはオネジ孔５を介し、取付けビス４により、適宜に一方のサッシの側壁Ｙに固定される。
【００３０】
そこで、まずロッキング部材２１が施錠状態の場合について説明する。この場合、操作レバー１２はケース本体１と略同一方向に位置し、その係合片１６は他方のサッシの側壁Ｚの鉤状受け金具１７と係合している。この時、図４で示すように操作レバー１２と一緒に回転した摺接板３０の突起部３０ａはケース本体の第１のストッパー１０と当接している。また操作レバー１２の第２のストッパー１８も鉤状受け金具１７と当接している。さらに、操作レバー１２の第３のスットパー２８も、案内凹所７の上方の湾部７ａの内壁面と当接している。したがって、操作レバー１２はこれらの各スットパー１０、１８、２８により回転が確実に阻止され、それ以上回転しない。
【００３１】
しかして、ロッキング部材２１は、操作レバー１２側のガイド貫通孔１９がケース本体側１の係合部８と一致しているために、付勢バネ２０のバネ力に抗して後退し、その胴体部２１ｂの一部はケース本体１の係合部８と係合状態となっている。したがって、操作レバー１２はロッキング部材２１を介してケース本体１に施錠されている。
【００３２】
次にロッキング部材２１を解錠する場合について説明する。ロッキング部材２１を解錠する場合には、まず、ダイヤル部材４０の駆動板４１を暗証している番号、模様、色彩、図柄等の解錠用標識に基づき一方向に回転する。そうすると、駆動板４１の駆動爪４３が回転子４２の従動爪４４と係合し、回転子４２はその切欠部４８がロッキング部材２１の頭部２１ａに対向する位置へと回転する。一方、駆動板４１を同じく解錠用標識に基づき反対方向へと回転すると、その切欠部４５がロッキング部材２１の頭部２１に対向する位置へと回転する。
【００３３】
したがって、ロッキング部材２１は付勢バネ２０のバネ力により外方向へ移動し、その頭部２１ａはダイヤル部材４０の各逃がし用切欠部４５、４８に入込む。これにより、操作レバー１２を回転することができる。
【００３４】
【異なる実施例】
次に本発明の異なる実施例につき説明する。なお、この実施例の説明にあたって、前記本発明の実施例と同一の部分には同一の符号を付し、重複する説明を省略する。
【００３５】
図１０及び図１１に示す第２実施例に於いて、前記本発明の実施例と主に異なる点は、ダイヤル部材４０Ａである。このダイヤル部材４０Ａは駆動板４１Ａと回転子４２Ａとを別体に構成せず、一体化している（ダイヤル部材４０Ａは１枚である。）。したがって、ダイヤル部材４０Ａには駆動爪や従動爪は設けられておらず、また逃し用切欠部４５Ａが１個のみ形成されている。
【００３６】
上記構成に於いては、ダイヤル部材４０Ａを回転操作するのみでロッキング部材２１Ａが進退動する。具体的な作用、効果は第１実施例と同一なので重複する説明を省略する。
【００３７】
したがって、この実施例に於いては、外部からの侵入者に対しては、防犯効果が十分ではない。しかし、居住人はダイヤル部材４０Ａを暗証番号等に基づき回転操作するだけで、ロッキング部材２１Ａを施錠または解錠させることができるので、多くの鍵を持つことから解放される。
【００３８】
【発明の効果】
以上の説明から明らかなように、本発明にあっては次に列挙するような効果がある。
（１）クレセントＸを施錠する時は、ダイヤル部材（４０、４０Ａ）を任意に回転すれば良く、一方、クレセントＸを解錠標識に設定して操作レバー１２を回転したい時は、暗証した解錠用標識に基づき、ダイヤル部材を左右あるいは一方向に回転すれば良い。したがって、住居人は、多くの鍵を持つことから開放されるだけではなく、屋内から手軽に施解錠でき、一方、外部の侵入者に対しては、不法侵入をより困難にすることができるので、防犯の効果を期待することができる。
（２）係合部８がケース本体１の上壁部１ａの中心孔６に対して偏する位置に形成され、この係合部８に操作レバー１２をロックするロッキング部材２１が組込まれているので、施錠状態に於いて、操作レバーを解錠方向に回そうとしても、操作レバー１２の嵌合軸１３等に無理な力が作用しない。
（３）操作レバー１２または操作レバー１２とケース本体１にスットパー（３０ａ、１０、１８）が１または２以上設けられている実施例の場合は、施錠時操作レバー１２は所定位置で停止し、操作レバー１２に組込まれたロッキング部材２１は、ケース本体１の係合部８と正確に対向して一致する。
【図面の簡単な説明】
図１ないし図９は、本発明の第１実施例である。図１０及び図１１は、本発明の第２実施例である。
【図１】斜視図である。
【図２】分解斜視図である。
【図３】縦断面図（ロッキング部材の解錠状態を示す。）である。
【図４】クレセントの施錠時における背面から見た説明図である。
【図５】クレセントの施錠時における正面から見た説明図である。
【図６】クレセントの施錠時における右側面から見た説明図である。
【図７】要部（ダイヤル部材）の説明図である。
【図８】縦断面図（ロッキング部材の施錠状態を示す。）である。
【図９】クレセントの解錠時における背面から見た説明図である。
【図１０】分解斜視図である。
【図１１】縦断面図（ロッキング部材の施錠状態を示す。）である。
【符号の説明】
Ｘ…クレセント、Ｙ、Ｚ…サッシの側壁、１…ケース本体、２…取付け部、３…装着部、８…係合部、１０…第１のストッパー、１２…操作レバー、１３…嵌合軸、１６…係合片、１８…第２のストッパー、１９…ガイド貫通孔、２１、２１Ａ…ロッキング部材、２６…ダイヤル軸、２８…第３のストッパー、３０…摺接板、３０ａ…突起部、４０、４０Ａ…ダイヤル部材、４１、４１Ａ…駆動板、４２、４２Ａ…回転子、４５、４５Ａ、４８…切欠部。
【図１】
0003548895.tif 000002
【図２】
0003548895.tif 000003
【図３】
0003548895.tif 000004
【図４】
0003548895.tif 000005
【図５】
0003548895.tif 000006
【図６】
0003548895.tif 000007
【図７】
0003548895.tif 000008
【図８】
0003548895.tif 000009
【図９】
0003548895.tif 000010
【図１０】
0003548895.tif 000011
【図１１】
0003548895.tif 000012